【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
画素信号を各々が出力する複数の画素と、
前記複数の画素の各々から前記画素信号が出力される信号線と、
容量素子と、
一方のノードが前記信号線に接続され、他方のノードが前記容量素子と前記信号保持部に接続されたスイッチと、
信号保持部とを有し、
前記容量素子は、前記スイッチがオンしている場合には、前記信号線に出力されている前記画素信号をサンプリングし、前記スイッチがオンからオフした場合には前記信号線に出力されている前記画素信号を保持する素子であって、
前記複数の画素のうちの第１の画素の前記画素信号が前記信号線に出力され、
前記スイッチをオンすることによって前記容量素子がサンプリングしている前記第１の画素の画素信号に基づく信号が、前記スイッチをオンしたまま、前記信号保持部に保持されることを特徴とする撮像装置。
【請求項２】
前記撮像装置は、第１の動作と第２の動作とで動作し、
前記第１の動作は、前記スイッチをオンしたまま、前記容量素子がサンプリングしている前記第１の画素の画素信号に基づく信号が、前記信号保持部に保持される動作であり、
前記第２の動作は、
前記スイッチがオンからオフすることによって、前記容量素子が前記第１の画素の画素信号を保持し、前記容量素子が保持した前記第１の画素の画素信号に基づく信号を前記信号保持部が保持する動作であることを特徴とする請求項１に記載の撮像装置。
【請求項３】
前記第２の動作において、
前記容量素子が保持した前記第１の画素の画素信号に基づく信号を前記信号保持部が保持する期間であり、前記スイッチがオフしている期間に、前記複数の画素のうちの、前記第１の画素とは別の画素である第２の画素の前記画素信号が前記信号線に出力されることを特徴とする請求項２に記載の撮像装置。
【請求項４】
前記複数の画素の各々は、電荷を蓄積する光電変換部と、前記電荷が転送される入力ノードを備える増幅トランジスタとを有し、
前記画素信号は、リセットされた前記入力ノードの電位に基づくノイズ信号と、前記電荷が転送された前記入力ノードの電位に基づく光信号とを含み、
前記第２の動作において、
前記容量素子が保持した前記第１の画素の前記ノイズ信号に基づく信号を前記信号保持部が保持する期間であり、前記スイッチがオフしている期間に、前記第１の画素の前記光信号が前記信号線に出力されることを特徴とする請求項２に記載の撮像装置。
【請求項５】
前記撮像装置は、前記容量素子に入力ノードが接続され、出力ノードが前記信号保持部に接続された増幅回路をさらに有し、
前記画素信号に基づく信号が、前記増幅回路によって出力される信号であることを特徴とする請求項１〜４のいずれか１項に記載の撮像装置。
【請求項６】
前記撮像装置は、前記信号保持部を備えるＡＤ変換部を有し、
前記ＡＤ変換部は、前記画素信号に基づく信号をデジタル信号に変換し、
前記信号保持部は前記デジタル信号を保持することを特徴とする請求項１〜５のいずれか１項に記載の撮像装置。
【請求項７】
前記撮像装置は、前記信号保持部を備えるＡＤ変換部を有し、
前記ＡＤ変換部は、前記画素信号に基づく信号をデジタル信号に変換し、
前記信号保持部は前記デジタル信号を保持し、
前記第２の動作において、
前記容量素子が保持した前記第１の画素の画素信号に基づく信号を前記ＡＤ変換部がデジタル信号に変換している期間であり、前記スイッチがオフしている期間に、前記複数の画素のうちの、前記第１の画素とは別の画素である第２の画素の前記画素信号が前記信号線に出力されることを特徴とする請求項２に記載の撮像装置。
【請求項８】
前記容量素子の一方のノードが、前記スイッチの前記他方のノードに接続され、前記容量素子の他方のノードに、基準電圧が入力されることを特徴とする請求項１〜７のいずれか１項に記載の撮像装置。
【請求項９】
請求項１〜８のいずれか１項に記載の撮像装置と、
前記撮像装置が出力する信号によって、画像を生成する信号処理部とを有することを特徴とする撮像システム。
【請求項１０】
画素信号を各々が出力する複数の画素と、
前記複数の画素の各々から前記画素信号が出力される信号線と、
容量素子と、
前記画素信号に基づく信号を保持する信号保持部とを有し、
前記容量素子が、前記画素信号のサンプリングと、前記画素信号の保持とが可能な素子である撮像装置の駆動方法であって、
前記複数の画素のうちの第１の画素が前記画素信号を前記信号線に出力し、
前記容量素子が前記第１の画素の画素信号をサンプリングしている期間に、前記第１の画素の画素信号に基づく信号を、前記信号保持部が保持することを特徴とする撮像装置の駆動方法。
【請求項１１】
前記撮像装置は第１の動作と第２の動作を行い、
前記第１の動作は、前記容量素子が前記第１の画素の画素信号をサンプリングしている期間に、前記第１の画素の画素信号に基づく信号を、前記信号保持部が保持する動作であり、
前記第２の動作は、前記容量素子が前記第１の画素の画素信号を保持し、前記容量素子が保持した前記第１の画素の画素信号に基づく信号を前記信号保持部が保持する動作であることを特徴とする請求項１０に記載の撮像装置の駆動方法。
【請求項１２】
前記第２の動作において、
前記容量素子が保持した前記第１の画素の画素信号に基づく信号を前記信号保持部が保持する期間であり、前記容量素子が前記第１の画素の画素信号を保持している期間に、前記複数の画素のうちの、前記第１の画素とは別の画素である第２の画素の前記画素信号が前記信号線に出力されることを特徴とする請求項１１に記載の撮像装置の駆動方法。
【請求項１３】
前記複数の画素の各々は、電荷を蓄積する光電変換部と、前記電荷が転送される入力ノードを備える増幅トランジスタとを有し、
前記画素信号は、リセットされた前記入力ノードの電位に基づくノイズ信号と、前記電荷が転送された前記入力ノードの電位に基づく光信号とを含み、
前記第２の動作において、
前記容量素子が保持した前記第１の画素の前記ノイズ信号に基づく信号を前記信号保持部が保持する期間であり、前記容量素子が前記第１の画素の前記ノイズ信号を保持している期間に、前記第１の画素の前記光信号が前記信号線に出力されることを特徴とする請求項１１に記載の撮像装置の駆動方法。
【手続補正２】
【補正対象書類名】明細書
【補正対象項目名】０００６
【補正方法】変更
【補正の内容】
【０００６】
本発明は上記の課題を鑑みて為されたものであり、一の態様は、画素信号を各々が出力する複数の画素と、前記複数の画素の各々から前記画素信号が出力される信号線と、容量素子と、一方のノードが前記信号線に接続され、他方のノードが前記容量素子と前記信号保持部に接続されたスイッチと、信号保持部とを有し、前記容量素子は、前記スイッチがオンしている場合には、前記信号線に出力されている前記画素信号をサンプリングし、前記スイッチがオンからオフした場合には前記信号線に出力されている前記画素信号を保持する素子であって、前記複数の画素のうちの第１の画素の前記画素信号が前記信号線に出力され、前記スイッチをオンすることによって前記容量素子がサンプリングしている前記第１の画素の画素信号に基づく信号が、前記スイッチをオンしたまま、前記信号保持部に保持されることを特徴とする撮像装置である。